(57)【要約】【課題】液晶表示パネルを有する液晶表示装置と、音処理機能部と、を備えた電子機器において、音処理機能部を使用しているときに液晶表示パネルから発せられる振動音の影響を減らすようにする。【解決手段】電子機器１は、アクティブマトリクス方式の液晶表示パネル２１と、データドライバ９１と、走査ドライバ９２と、共通電極２３ａに印加する共通電極信号電圧を生成する共通電圧生成回路９４と、音声データまたは音データを記憶する記憶回路８ｃと、外部との通話を行う通信回路５と、を有し、通信回路による通話動作が行われていないときまたは記憶回路を用いた録音動作が行われていないとき、液晶表示パネルをライン反転駆動し、通信回路による通話動作が行われているときまたは記憶回路を用いた録音動作が行われているとき、液晶表示パネルをフレーム反転駆動またはコモンＤＣ駆動するように切り替える。【選択図】図４
2011112656.tif 000002
【特許請求の範囲】
【請求項１】
複数の走査線と、前記複数の走査線に対して直交する複数の信号線と、前記複数の走査線と前記複数の信号線との各交差部近傍に設けられ、各々が画素電極とスイッチ素子を有する複数の表示画素と、前記複数の表示画素の前記画素電極に対向して設けられた共通電極と、を有する液晶表示パネルと、
共通電極信号電圧を生成して前記共通電極に印加する共通電圧生成回路を有する駆動回路と、
外部との通話を行う通話機能部及び外部からの音の録音を行う録音機能部の少なくとも何れかを含む音処理機能部を有する本体回路と、
前記本体回路において前記音処理機能部が使用されているか否かを判定する判定回路と、を備え、
前記本体回路において前記音処理機能部が使用されているか否かを判定し、前記音処理機能部が使用されていないと判定したとき、前記共通電極信号電圧を第１の周期で電位が変化する第１の波形信号に設定し、前記音処理機能部が使用されていると判定したとき、前記共通電極信号電圧を前記第１の周期より長い第２の周期で電位が変化する第２の波形信号または一定電位を有する定電圧の何れかに設定する制御回路と、を備えることを特徴とする電子機器。
【請求項２】
前記共通電圧生成回路は、前記第１の波形信号を生成する第１波形信号生成回路と、前記第２の波形信号を生成する第２波形信号生成回路と、前記定電圧を生成する定電圧生成回路と、前記第１波形信号生成回路、前記第２波形信号生成回路及び前記定電圧生成回路の出力の何れかを切り換えて前記共通電極信号電圧として出力する第１の切替回路と、を有し、
前記制御回路は、前記判定に応じて前記第１の切替回路を制御することを特徴とする請求項１に記載の電子機器。
【請求項３】
前記第１の波形信号は１水平走査期間毎に電位が変化する波形を有し、前記第２の波形信号は１フレーム期間毎に電位が変化する波形を有していることを特徴とする請求項１または２に記載の電子機器。
【請求項４】
前記駆動回路は、前記複数の信号線に画像信号に基づく階調信号を出力するデータドライバと、前記階調信号の前記画像信号の階調値に応じた電圧値を設定するための複数の基準電圧を生成して前記データドライバに供給する階調基準電圧生成回路と、を有し、
前記階調基準電圧生成回路は、前記複数の基準電圧として前記第１の波形信号及び前記第２の波形信号に対応した電位を有する複数の電圧を生成する第１基準電圧生成回路と、前記複数の基準電圧として前記定電圧に対応した電位を有する複数の電圧を生成する第２基準電圧生成回路と、前記第１基準電圧生成回路と前記第２基準電圧生成回路の出力の何れかを切り換えて前記データドライバに出力する第２の切替回路と、を有し、
前記制御回路は、前記判定に応じて前記第２の切替回路を制御することを特徴とする請求項１乃至３の何れかに記載の電子機器。
【請求項５】
前記音処理機能部は、前記通話機能部として音声データを送受信する通信回路を有し、
前記制御回路は、前記通信回路において前記音データの送受信が行われていないとき、前記音処理機能部が使用されていないと判定し、前記通信回路において前記音データの送受信が行われているとき、前記音処理機能部が使用されていると判定することを特徴とする請求項１乃至４の何れかに記載の電子機器。
【請求項６】
前記音処理機能部は、前記録音機能部として外部からの音を取り込む音入力回路を有し、
前記制御回路は、前記音入力回路において外部からの音の取り込みが行われていないとき、前記音処理機能部が使用されていないと判定し、前記音入力回路において外部からの音の取り込みが行われているとき、前記音処理機能部が使用されていると判定することを特徴とする請求項１乃至４の何れかに記載の電子機器。
【請求項７】
複数の走査線と、前記複数の走査線に対して直交する複数の信号線と、前記複数の走査線と前記複数の信号線との各交差部近傍に設けられ、各々が画素電極とスイッチ素子を有する複数の表示画素と、前記複数の表示画素の前記画素電極に対向して設けられた共通電極と、を有する液晶表示パネルと、
共通電極信号電圧を生成して前記共通電極に印加する共通電圧生成回路を有する駆動回路と、
外部との通話を行う通話機能部及び外部からの音の録音を行う録音機能部の少なくとも何れかを含む音処理機能部を有する本体回路と、
前記本体回路において前記音処理機能部が使用されているか否かを判定し、前記音処理機能部が使用されていないと判定したとき、前記共通電極信号電圧を第１の振幅を有する第３の波形信号に設定し、前記音処理機能部が使用されていると判定したとき、前記共通電極信号電圧を前記第１の振幅より小さい第２の振幅を有する第４の波形信号に設定する制御回路と、を備えることを特徴とする電子機器。
【請求項８】
前記第３の波形信号及び前記第４の波形信号は１水平走査期間毎に電位が変化する波形を有していることを特徴とする請求項７に記載の電子機器。
【発明の詳細な説明】
【技術分野】
【０００１】
本発明は、アクティブマトリクス方式の液晶表示パネルを備えた電子機器に関する。
【背景技術】
【０００２】
表示部に液晶表示装置を備えた電子機器が知られている。具体的には、このような電子機器として、携帯電話機、デジタルカメラ、デジタルビデオカメラ等がある。ここで、携帯電話機において、ライン反転駆動方式又はフレーム反転駆動方式のうち何れか一方を選択して駆動する液晶表示装置を表示部として用い、使用者が携帯電話機に何らかの操作をするときには、液晶表示装置の液晶表示パネルをライン反転駆動方式で駆動する。一方、一定時間携帯電話機を操作しないときや、表示部の一部にのみ画像を表示するときには、液晶表示装置の液晶表示パネルをフレーム反転駆動方式により駆動するようにしたものがある（特許文献１参照）。
なお、ライン反転駆動方式とは、共通電極の電圧の極性を１水平同期期間毎に反転させながら液晶表示装置を駆動する方式である。また、フレーム反転駆動方式とは、共通電極の電圧の極性を１フレーム期間毎に反転させながら液晶表示装置を駆動する方式である。
【先行技術文献】
【特許文献】
【０００３】
【特許文献１】特開２００４−２５８２７４号公報
【発明の概要】
【発明が解決しようとする課題】
【０００４】
ところで、液晶表示パネルがライン反転駆動されている時、その共通電極の電圧は周波数５０００〜１５０００Ｈｚで振動している。そして、この振動により僅かではあるが液晶表示パネルから振動音が出る。携帯電話機は通話機能部を有しているとともに、マイクから音声や外部の音を取り込んで録音する録音機能部を有しているものがある。また、デジタルカメラやデジタルビデオカメラ等の電子機器においても、マイクを有して、例えば動画撮影を行う際にマイクから外部の音を取り込んで録音する録音機能部を有している。このため、例えば携帯電話機で通信機能部を使って通話しているときに液晶表示パネルがライン反転駆動されていると、この振動音が携帯電話機の使用者に聞こえて使用者に不快感を与えたり、受話口のマイクがこの振動音を拾ってしまったりする場合がある。また、録音機能部を有する電子機器において、録音機能部を使用しているときに液晶表示パネルがライン反転駆動されていると、音の取り込み用のマイクがこの振動音を拾ってしまう場合がある。
そこで本発明が解決しようとする課題は、液晶表示パネルを有する液晶表示装置と、通話機能部及び録音機能部の何れかを有する音処理機能部と、を備えた電子機器において、液晶表示パネルから発せられる振動音の影響を減らすようにすることである。
【課題を解決するための手段】
【０００５】
以上の課題を解決するために、本発明の一の態様によれば、
複数の走査線と、前記複数の走査線に対して直交する複数の信号線と、前記複数の走査線と前記複数の信号線との各交差部近傍に設けられ、各々が画素電極とスイッチ素子を有する複数の表示画素と、前記複数の表示画素の前記画素電極に対向して設けられた共通電極と、を有する液晶表示パネルと、
共通電極信号電圧を生成して前記共通電極に印加する共通電圧生成回路を有する駆動回路と、
外部との通話を行う通話機能部及び外部からの音の録音を行う録音機能部の少なくとも何れかを含む音処理機能部を有する本体回路と、
前記本体回路において前記音処理機能部が使用されているか否かを判定する判定回路と、を備え、
前記本体回路において前記音処理機能部が使用されているか否かを判定し、前記音処理機能部が使用されていないと判定したとき、前記共通電極信号電圧を第１の周期で電位が変化する第１の波形信号に設定し、前記音処理機能部が使用されていると判定したとき、前記共通電極信号電圧を前記第１の周期より長い第２の周期で電位が変化する第２の波形信号または一定電位を有する定電圧の何れかに設定する制御回路と、を備えることを特徴とする電子機器が提供される。
【０００６】
好ましくは、前記共通電圧生成回路は、前記第１の波形信号を生成する第１波形信号生成回路と、前記第２の波形信号を生成する第２波形信号生成回路と、前記定電圧を生成する定電圧生成回路と、前記第１波形信号生成回路、前記第２波形信号生成回路及び前記定電圧生成回路の出力の何れかを切り換えて前記共通電極信号電圧として出力する第１の切替回路と、を有し、前記制御回路は、前記判定に応じて前記第１の切替回路を制御する。
好ましくは、前記第１の波形信号は１水平走査期間毎に電位が変化する波形を有し、前記第２の波形信号は１フレーム期間毎に電位が変化する波形を有している。
好ましくは、前記駆動回路は、前記複数の信号線に画像信号に基づく階調信号を出力するデータドライバと、前記階調信号の前記画像信号の階調値に応じた電圧値を設定するための複数の基準電圧を生成して前記データドライバに供給する階調基準電圧生成回路と、を有し、前記階調基準電圧生成回路は、前記複数の基準電圧として前記第１の波形信号及び前記第２の波形信号に対応した電位を有する複数の電圧を生成する第１基準電圧生成回路と、前記複数の基準電圧として前記定電圧に対応した電位を有する複数の電圧を生成する第２基準電圧生成回路と、前記第１基準電圧生成回路と前記第２基準電圧生成回路の出力の何れかを切り換えて前記データドライバに出力する第２の切替回路と、を有し、前記制御回路は、前記判定に応じて前記第２の切替回路を制御する。
好ましくは、前記音処理機能部は、前記通話機能部として音声データを送受信する通信回路を有し、前記制御回路は、前記通信回路において前記音データの送受信が行われていないとき、前記音処理機能部が使用されていないと判定し、前記通信回路において前記音データの送受信が行われているとき、前記音処理機能部が使用されていると判定する。
好ましくは、前記音処理機能部は、前記録音機能部として外部からの音を取り込む音入力回路を有し、前記制御回路は、前記音入力回路において外部からの音の取り込みが行われていないとき、前記音処理機能部が使用されていないと判定し、前記音入力回路において外部からの音の取り込みが行われているとき、前記音処理機能部が使用されていると判定する。
【０００７】
本発明の他の態様によれば、
複数の走査線と、前記複数の走査線に対して直交する複数の信号線と、前記複数の走査線と前記複数の信号線との各交差部近傍に設けられ、各々が画素電極とスイッチ素子を有する複数の表示画素と、前記複数の表示画素の前記画素電極に対向して設けられた共通電極と、を有する液晶表示パネルと、
共通電極信号電圧を生成して前記共通電極に印加する共通電圧生成回路を有する駆動回路と、
外部との通話を行う通話機能部及び外部からの音の録音を行う録音機能部の少なくとも何れかを含む音処理機能部を有する本体回路と、
前記本体回路において前記音処理機能部が使用されているか否かを判定し、前記音処理機能部が使用されていないと判定したとき、前記共通電極信号電圧を第１の振幅を有する第３の波形信号に設定し、前記音処理機能部が使用されていると判定したとき、前記共通電極信号電圧を前記第１の振幅より小さい第２の振幅を有する第４の波形信号に設定する制御回路と、を備えることを特徴とする電子機器が提供される。
【０００８】
好ましくは、前記第３の波形信号及び前記第４の波形信号は１水平走査期間毎に電位が変化する波形を有している。
【発明の効果】
【０００９】
本発明によれば、液晶表示パネルを有する液晶表示装置と、通話機能部及び録音機能部の何れかを有する音処理機能部と、を備えた電子機器において、音処理機能部を使用しているときに液晶表示パネルから発せられる振動音を、音処理機能部を使用していないときより低減させて、液晶表示パネルから発せられる振動音の影響を減らすようにすることができる。
【図面の簡単な説明】
【００１０】
【図１】本発明を適用した第１実施形態及び第２実施形態における携帯電話機の構成を示すブロック図である。
【図２】第１実施形態における制御回路の構成を示すブロック図である。
【図３】同実施形態における液晶表示装置の分解斜視図である。
【図４】同実施形態における液晶表示装置及び駆動回路の構成を示すブロック図である。
【図５】同実施形態における液晶ディスプレイパネルに設けられる１つの表示画素の等価回路を示す図である。
【図６】同実施形態における各信号の信号波形を示すタイミングチャート図である。
【図７】同実施形態における共通電圧生成回路の構成を示すブロック図である。
【図８】同実施形態における階調基準電圧生成回路の構成を示すブロック図である。
【図９】同実施形態における制御回路が行う処理の一部を示すフローチャートである。
【図１０】同実施形態における制御回路が行う処理の一部を示すフローチャートである。
【図１１】同実施形態における制御回路が行う処理の一部を示すフローチャートである。
【図１２】第２実施形態における制御回路の構成を示すブロック図である。
【図１３】同実施形態における共通電圧生成回路の構成を示すブロック図である。
【図１４】同実施形態における制御回路が行う処理の一部を示すフローチャートである。
【発明を実施するための形態】
【００１１】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。また、以下においては電子機器が携帯電話機である場合について説明するが、同等の構成を含む例えばデジタルカメラ等の他の電子機器に対しても同様に適用できるものである。
【００１２】
（第１実施形態）
まず、本発明の第１実施形態に係る電子機器の一例である携帯電話機１の全体構成について説明する。図１は、携帯電話機１の全体構成を示すブロック図、図２は、制御回路８の構成を示すブロック図である。
携帯電話機１は、通話機能に加え、撮影機能や録音機能等を有したものである。携帯電話機１は、図１に示したように、液晶表示装置２、撮像回路３、音入力回路４、音声出力回路（図示省略）、通信回路５、記憶装置６、操作部７、制御回路８等を備え、これらが携帯電話機１に内蔵された本体回路基板（図示省略）に設けられている。
【００１３】
撮像回路３は、レンズ（図示省略）、撮像素子３１、ドライバ３２、信号処理回路３３等を有する。レンズは撮像素子に像を結像させる。撮像素子３１はＣＣＤやＣＭＯＳ等である。そして、撮像素子３１は、レンズの光軸後方に配置され、レンズから射出された光を光電変換することにより電気信号を出力する。ドライバ３２は撮像素子３１を駆動する。信号処理回路３３は、撮像素子３１に接続されており、撮像素子３１から入力された電気信号を映像信号に変換して制御回路８へ出力する。
音入力回路４は、電気音響変換機であるマイク４１、ＡＤコンバータ４２等を有する。マイク４１は音声または外部の音をアナログの電気信号に変換して出力する。ＡＤコンバータ４２は、マイク４１に接続されており、マイク４１から入力された音声または音に基づくアナログの電気信号を音声データにデジタル変換して制御回路８へ出力する。
音声出力回路は、スピーカー等を有し、通信回路５から出力された音声データを音声に変換して音声を出力する。
通信回路５は、アンテナ５１を有する。通信回路５は、ＡＤコンバータ４２から入力された音声データに基づき電波を変調し、その音声データを含む電波をアンテナ５１から外部の中継アンテナへ送信する。また、通信回路５は、外部の中継アンテナからアンテナ５１に受信した電波を復調し、その電波から音声データを取り出して制御回路８及び音声出力回路へ出力する。
記憶装置６は、例えばフラッシュメモリ等であり、制御回路８から入力された音声データ及び映像信号を保存する。
操作部７は、各種の操作キー等（図示省略）を有する。操作部７は、使用者が押した操作キーに応じた信号、例えば、通話開始、通話終了、撮影開始、撮影終了、録音開始、録音終了等の指示を表す信号を制御回路８へ出力する。
【００１４】
制御回路８は、液晶表示装置２をはじめとする携帯電話機１の各回路を制御するもので、図２に示したように、ＣＰＵ８ａ、ＲＯＭ８ｂ、記憶回路８ｃ、ＶＲＡＭ８ｄ等を有する。
【００１５】
ＲＯＭ８ｂには、データ記録プログラム、パターン切替プログラム、通信有無判定プログラム、録音有無判定プログラム、ライン反転駆動指示プログラム、フレーム反転駆動指示プログラム、コモンＤＣ駆動指示プログラム等が記憶されている。ＣＰＵ８ａがこれらのプログラムに従って各種処理を実行することにより、ＣＰＵ８ａは、記録回路及び判定回路としての以下の機能を有する。
ＣＰＵ８ａは、撮像回路３から入力された映像信号をＶＲＡＭ８ｄに、音声入力回路４から入力された音声データまたは音データを記憶回路８ｃにそれぞれ記録するデータ記録機能を有する。
また、ＣＰＵ８ａは、操作部７からの指示等に従って、液晶表示装置２の駆動パターンを第１パターンから第６パターンの６つの駆動パターンの中からいずれか一つの駆動パターンを選択して切り替えるパターン切替機能を有する。
ここで、第１パターンは、通話の有無によりライン反転駆動とフレーム反転駆動を切り替える駆動パターンである。第２パターンは、通話の有無によりフレーム反転駆動とコモンＤＣ駆動を切り替える駆動パターンである。第３パターンは、通話の有無によりライン反転駆動とコモンＤＣ駆動を切り替える駆動方法である。第４パターンは、録音の有無によりライン反転駆動とフレーム反転駆動を切り替える駆動パターンである。第５パターンは、録音の有無によりフレーム反転駆動とコモンＤＣ駆動を切り替える駆動パターンである。第６パターンは、録音の有無によりライン反転駆動とコモンＤＣ駆動を切り替える駆動方法である。
また、ＣＰＵ８ａは、記憶回路８ｃに音入力回路４から出力された音声データまたは音データを記録する制御動作が行われているか否かを判定する録音有無判定機能を有する。
また、ＣＰＵ８ａは、音声データを含む電波の送受信が通信回路５によって行われているか否かを判定する通信有無判定機能を有する。
また、ＣＰＵ８ａは、第１，第３パターンにおいて、通信有無判定機能により通信回路５が音声データを含む電波の送受信を行っていないと判定した場合、または、第４，第６パターンにおいて、録音有無判定機能により記憶回路８ｃに音声データまたは音データ記録する制御動作が行われていないと判定した場合に、ライン反転駆動方式を表す選択信号（例えば００）を駆動回路９に出力するライン反転駆動指示機能を有する。
また、ＣＰＵ８ａは、第２，第３パターンにおいて、通信有無判定機能により通信回路５が音声データを含む電波の送受信を行っていると判定した場合、または、第５，第６パターンにおいて、録音有無判定機能により記憶回路８ｃに音声データまたは音データを記録する制御動作が行われていると判定した場合に、コモンＤＣ駆動方式を表す選択信号（例えば１０）を駆動回路９に出力するコモンＤＣ駆動指示機能を有する。
また、ＣＰＵ８ａは、第１パターンにおいて、通信有無判定機能により通信回路５が音声データを含む電波の送受信を行っていると判定した場合、第２パターンにおいて、通信有無判定機能により通信回路５が音声データ含む電波の送受信を行っていないと判定した場合、第４パターンにおいて、録音有無判定機能により記憶回路８ｃに音声データが記録されていると判定した場合、第５パターンにおいて、録音有無判定機能により記憶回路８ｃに音声データまたは音データを記録する制御動作が行われていないと判定した場合に、フレーム反転駆動方式を表す選択信号（例えば０１）を駆動回路９に出力するフレーム反転駆動指示機能を有する。
【００１６】
記憶回路８ｃは、ＲＡＭ等であり、音入力回路４から出力された音声データまたは音データを通信回路５または記憶装置６へ出力するまでの間一時的に記憶する。ＶＲＡＭ８ｄは、ＣＰＵ８ａによって記録された映像信号を液晶表示装置２へ出力するまでの間一時的に記憶する。
なお、上記のような処理を行うために、制御回路８を論理回路で構成してもよい。
【００１７】
次に、液晶表示装置２の具体的構成について説明する。図３は、液晶表示装置２の分解斜視図、図４は、液晶表示装置２及び駆動回路９の構成を示したブロック図、図５は、表示画素の等価回路図である。
液晶表示装置２は、図３に示したように、液晶ディスプレイパネル２１、ＩＣチップ２８、バックライト２９等を備える。
【００１８】
液晶ディスプレイパネル２１は、アクティブマトリクス駆動方式のものである。この液晶ディスプレイパネル２１はアレイ基板２２及び対向基板２３等を有する。対向基板２３がアレイ基板２２に対向している。シール材（図示省略）が対向基板２３の縁部分に沿って枠状に設けられ、そのシール材が対向基板２３とアレイ基板２２との間に挟持され、そのシール材によってアレイ基板２２と対向基板２３が接着されている。アレイ基板２２と対向基板２３の間であってシール材の内側には液晶が封入されている。対向基板２３の上には偏光板２４が貼着されている。アレイ基板２２のサイズは対向基板２３のサイズよりも大きく、アレイ基板２２の一部が対向基板２３の縁からはみ出ている。以下、アレイ基板２２と対向基板２３が重なった部分を表示領域２１ａ、アレイ基板２２のうち対向基板２３の縁からはみ出た部分を非表示領域２１ｂと称する。
【００１９】
アレイ基板２２の対向基板２３と対向する面であって表示領域２１ａ内には、図４に示したように、複数の信号線２２ａが、互いに平行となって縦方向（図４の上下方向）に延びるように設けられている。また、複数の走査線２２ｂが、複数の信号線２２ａに対して直交するとともに、互いに平行となって横方向（図の左右方向）に延びるように設けられている。これら信号線２２ａと走査線２２ｂとによって囲われた各領域には、複数の表示画素２２ｃがそれぞれ形成され、各表示画素２２ｃがマトリクス状に配列されている。各表示画素２２ｃは、図５に示したように、スイッチ素子２２ｄと、透明な画素電極２２ｅをそれぞれ有する。スイッチ素子２２ｄは薄膜トランジスタであり、信号線２２ａと走査線２２ｂの各交差部に設けられている。
【００２０】
対向基板２３の両面のうちアレイ基板２２に対向する面には、透明な共通電極２３ａが形成されている。共通電極２３ａは、これら複数の画素電極２２ｅに共通して設けられている。画素電極２２ｅが液晶を挟んで共通電極２３ａに対向することで、図５に示したように、液晶キャパシタ２５が形成される。一方、液晶ディスプレイパネル２１のアレイ基板２２には、Ｃｓライン（図示省略）が形成され、Ｃｓラインの一部が絶縁膜を介して共通電極２３ａに対向することで、蓄積キャパシタ２６が形成される。
【００２１】
スイッチ素子２２ｄのゲート電極が走査線２２ｂに接続されている。そして、スイッチ素子２２ｄのソース電極またはドレイン電極の一方が信号線２２ａに接続され、他方が液晶キャパシタ２５及び蓄積キャパシタ２６に接続されている。
【００２２】
アレイ基板２２の非表示領域２１ｂ端部には、図３に示したように、可撓性回路シート（いわゆるＦＰＣ：Flexible Printed Circuit）２７の一端が接合されている。そして、可撓性回路シート２７の他端が本体回路基板に接続されている。
非表示領域２１ｂ中央部には、ＩＣチップ２８が表面実装されている。共通電極２３ａ、信号線２２ａ及び走査線２２ｂは引き回し配線を介してＩＣチップ２８に接続されている。ＩＣチップ２８には、駆動回路９（図４に図示）が内蔵されている。
ＶＲＡＭ８ｄから出力された映像信号は、可撓性回路シート２７によってＩＣチップ２８の駆動回路９に転送される。駆動回路９が映像信号に基づいて液晶ディスプレイパネル２１を駆動し、液晶ディスプレイパネル２１に映像が表示される。
【００２３】
液晶ディスプレイパネル２１の表示面の反対面には、図３に示したように、バックライト２９が設けられている。バックライト２９は、液晶ディスプレイパネル２１に向けて面発光するものである。バックライト２９の発光面は、アレイ基板２２の背面と対向している。バックライト２９は、例えば、ＬＥＤ等の点発光素子をマトリクス状に配列したもの、配列されたＬＥＤ等の点発光素子と導光板を組み合わせたもの、冷陰極管等の線状発光素子と導光板を組み合わせたもの、または、エレクトロルミネッセンス素子等の面発光素子を用いたものである。バックライト２９には、可撓性回路シート２９ａが接続されている。この可撓性回路シート２９ａが本体回路基板に接続されている。可撓性回路シート２９ａによって電力が本体回路基板からバックライト２９に供給されることにより、バックライト２９が発光する。
【００２４】
次に、駆動回路９について具体的に説明する。図７は、共通電圧生成回路９４の構成図、図８は、階調基準電圧生成回路９５の構成図である。
前述したように、ＩＣチップ２８には駆動回路９が内蔵されている。この駆動回路９は、液晶ディスプレイパネル２１を駆動するものである。具体的には、駆動回路９は、ライン反転駆動方式、フレーム反転駆動方式、コモンＤＣ駆動方式のうちから何れか一つを選択し、選択した駆動方式で液晶ディスプレイパネル２１を駆動する。
駆動回路９は、図４に示したように、データドライバ９１、走査ドライバ９２、表示信号生成回路９３、共通電圧生成回路９４、階調基準電圧生成回路９５等を備える。
【００２５】
表示信号生成回路９３は、ＶＲＡＭ８ｄから入力された映像信号から階調信号Ｄａｔａ、水平同期信号Ｈ及び垂直同期信号Ｖをそれぞれ生成する。また、表示信号生成回路９３は、クロック信号ＣＬＫ、第１極性反転信号Ｐｏｌ１及び第２極性反転信号Ｐｏｌ２からなる極性反転信号Ｐｏｌを生成する。そして、表示信号生成回路９３は、制御回路８から入力された選択信号に従って各信号を選択して出力する。具体的には、ＣＰＵ８ａからライン反転駆動を表す選択信号が入力された場合には、表示信号生成回路９３は、データドライバ９１に、階調信号Ｄａｔａ、及び、水平同期信号Ｈ、垂直同期信号Ｖ、クロック信号ＣＬＫ、第１極性反転信号Ｐｏｌ１を含む水平制御信号を出力する。また、ＣＰＵ８ａからフレーム反転駆動を表す選択信号が入力された場合には、表示信号生成回路９３は、データドライバ９１に、階調信号Ｄａｔａ、及び、水平同期信号Ｈ、垂直同期信号Ｖ、クロック信号ＣＬＫ、第２極性反転信号Ｐｏｌ２を含む水平制御信号を出力する。また、表示信号生成回路９３は、水平同期信号Ｈ及び垂直同期信号Ｖを含む垂直制御信号を走査ドライバ９２に出力する。
【００２６】
ここで、各信号について説明する。図６は、各信号及び画素電極２２ｅ、共通電極２３ａに印加される電圧のタイミングチャートである
クロック信号ＣＬＫは、所定周期の信号であって、駆動回路９のデータドライバ９１（図４に図示）及び制御回路８の動作タイミングの同期を取るための信号である。また、クロック信号ＣＬＫは、階調信号Ｄａｔａを各表示画素２２ｃに応じたタイミングで時分割する信号である。
階調信号Ｄａｔａは、ｎ（ｎは１以上の自然数）ビットの信号である。クロック信号ＣＬＫに同期して階調信号Ｄａｔａを時分割すると、その１単位が１画素分の階調を表す。なお、液晶ディスプレイパネル２１がノーマリーホワイト形である場合には、階調信号Ｄａｔａが高く画素の輝度が高くなるのに応じて表示画素２２ｃに印加される電圧は高くなり、液晶ディスプレイパネル２１がノーマリーブラック形である場合には、階調信号Ｄａｔａが高く画素の輝度が高くなるのに応じて表示画素２２ｃに印加される電圧は低くなる。
水平同期信号Ｈは、水平方向（走査線２２ｂに沿う方向）の同期を取るための信号である。水平同期信号Ｈは１水平同期期間（１Ｈ）毎のタイミングで出力される信号であり、１水平同期期間内に１行分の描画が行われる。
垂直同期信号Ｖは、垂直方向（信号線２２ａに沿う方向）の同期をとるための信号である。垂直同期信号Ｖは１フレーム期間毎のタイミングで出力される信号であり、１フレーム期間に１フレーム（１画面）分の描画が行われる。
第１極性反転信号Ｐｏｌ１は、１水平同期期間毎にハイレベル（Ｖｓｈ）とローレベル（Ｖｓｌ）に交互に変化する信号である。第１極性反転信号Ｐｏｌ１は、ライン反転駆動に用いる。すなわち、ライン反転駆動では、画素電極２２ｅの極性を第１極性反転信号Ｐｏｌ１に同期して反転させる。
第２極性反転信号Ｐｏｌ２は、１フレーム期間毎にハイレベル（Ｖｓｈ）とローレベル（Ｖｓｌ）に交互に変化する信号である。第２極性反転信号Ｐｏｌ２は、フレーム反転駆動に用いる。すなわち、フレーム反転駆動では、画素電極２２ｅの極性を第２極性反転信号Ｐｏｌ２に同期して反転させる。
【００２７】
次いで、各駆動方式について説明する。
本実施形態において、液晶ディスプレイパネル２１がライン反転駆動するとは、以下の３つの動作が平行して行われている状態をいう。
（１）共通電極２３ａを基準とした信号線２２ａの電圧、すなわちデータドライバ９１出力を、１水平同期期間毎に反転させる。
（２）共通電極２３ａの電圧を１水平同期期間毎に極性反転する交流電圧にする。
（３）ある表示画素２２ｃについて見ると、共通電極２３ａを基準とした画素電極２２ｅの電圧の極性を１フレーム期間毎に反転させる。
また、液晶ディスプレイパネル２１がフレーム反転駆動するとは、以下の２つの動作が平行して行われている状態をいう。
（１）共通電極２３ａの電圧を、１フレーム期間毎に極性反転する交流電圧にする。
（２）ある表示画素２２ｃについて見ると、共通電極２２ｅを基準とした画素電極２２ｅの電圧の極性を１フレーム期間毎に反転させる。
また、液晶ディスプレイパネル２１がコモンＤＣ駆動するとは、以下の２つの動作が平行して行われている状態をいう。
（１）共通電極２３ａに印加する電圧を一定電圧にする。
（２）ある表示画素２２ｃについて見ると、共通電極２３ａを基準とした画素電極２２ｅの電圧の極性を１水平同期期間毎に反転させる。
【００２８】
走査ドライバ９２は、例えば、シフトレジスタからなる。走査ドライバ９２は、垂直同期信号Ｖのパルスの立ち上がりに同期して、複数の走査線２２ｂのアドレスを開始する。つまり、垂直同期信号Ｖのパルスが立ち上がると、走査ドライバ９２が、水平同期信号Ｈに同期して、複数の走査線２２ｂを１行目から順次選択する。例えば、走査ドライバ９２は、複数の走査線２２ｂのうち選択する走査線２２ｂにハイレベル（Ｖｇｈ）のパルス信号（走査信号）を出力する。図６に示したＧ（１）、Ｇ（２），…，Ｇ（ｎ）は、走査ドライバ９２によって、１行目の走査線２２ｂ、２行目の走査線２２ｂ、…、ｎ行目（ｎは走査線２２ｂの本数を表す。）の走査線２２ｂに出力される信号（走査信号）を表す。走査ドライバ９２によって選択された走査線２２ｂはハイレベルになり、その走査線２２ｂに接続されたスイッチ素子２２ｄはオンになる。一方、選択されていない走査線２２ｂはローレベル（Ｖｇｌ）になり、その走査線２２ｂに接続されたスイッチ素子２２ｄはオフになる。
【００２９】
共通電圧生成回路９４は、第１波形信号Ｖｃｏｍ（ＡＣ１）、第２波形信号Ｖｃｏｍ（ＡＣ２）及び一定電圧Ｖｄｃをそれぞれ生成する。そして、共通電圧生成回路９４は、入力された選択信号に従って各信号及び電圧を選択して出力する。具体的には、ＣＰＵ８ａからライン反転駆動を表す選択信号が入力された場合には、共通電圧生成回路９４が、生成した第１波形信号を共通電極２３ａ及び蓄積キャパシタ２６のＣｓラインに出力する。また、ＣＰＵ８ａからフレーム反転駆動を表す選択信号が入力された場合には、共通電圧生成回路９４が、生成した第２波形信号を共通電極２３ａ及び蓄積キャパシタ２６のＣｓラインに出力する。また、ＣＰＵ８ａからコモンＤＣ駆動を表す選択信号が入力された場合には、共通電圧生成回路９４が、生成した一定電圧Ｖｄｃを共通電極２３ａ及び蓄積キャパシタ２６のＣｓラインに印加する。ここで、図６に示したＶｃｏｍ（ＤＣ）は、共通電圧生成回路９４によって生成される一定電圧Ｖｄｃを表し、図６に示されるＶｃｏｍ（ＡＣ１）は、共通電圧生成回路９４によって生成される第１波形信号を表し、Ｖｃｏｍ（ＡＣ２）は、共通電圧生成回路９４によって生成される第２波形信号を表す。
共通電圧生成回路９４は、図７に示したように、第１波形信号生成回路９４ａ、第２波形信号生成回路９４ｂ、定電圧生成回路９４ｃ、切替回路９４ｄ及びスイッチ９４ｅ、９４ｆ、９４ｇを有する。
【００３０】
第１波形信号生成回路９４ａの出力は、スイッチ９４ｅを介して共通電極２３ａ及び蓄積キャパシタ２６のＣｓラインに接続されている。第１波形信号生成回路９４ａは、ライン反転駆動に用いる第１波形信号Ｖｃｏｍ（ＡＣ１）を生成する。第１波形信号は、第１極性反転信号Ｐｏｌ１に同期して相対的に電位の高い状態（Ｖｍａｘ１）と低い状態（Ｖｍｉｎ１）に交互に反転する信号である。つまり、第１波形信号は、１水平同期期間毎にその極性を反転させる。スイッチ９４ｅがオンである場合には、第１波形信号生成回路９４ａから出力された第１波形信号Ｖｃｏｍ（ＡＣ１）が共通電極２３ａ及び蓄積キャパシタ２６のＣｓラインに入力され、スイッチ９４ｅがオフである場合には、第１波形信号生成回路９４ａの出力が共通電極２３ａ及び蓄積キャパシタ２６のＣｓラインから遮断される。
【００３１】
第２波形信号生成回路９４ｂの出力は、スイッチ９４ｆを介して共通電極２３ａ及び蓄積キャパシタ２６のＣｓラインに接続されている。第２波形信号生成回路９４ｂは、フレーム反転駆動に用いる第２波形信号Ｖｃｏｍ（ＡＣ２）を生成する。第２波形信号は、第２極性反転信号Ｐｏｌ２に同期して相対的に電位の高い状態（Ｖｍａｘ２）と低い状態（Ｖｍｉｎ２）に交互に反転する信号であり、その反転周期が第１波形信号よりも長い。つまり、第２波形信号は、１フレーム期間毎にその極性を反転させる。スイッチ９４ｆがオンである場合には、第２波形信号生成回路９４ｂから出力された第２波形信号Ｖｃｏｍ（ＡＣ２）が共通電極２３ａに入力され、スイッチ９４ｆがオフである場合には、第２波形信号生成回路９４ｂの出力が共通電極２３ａ及び蓄積キャパシタ２６のＣｓラインから遮断される。なお、第２波形信号の高電位側の電圧（Ｖｍａｘ２）及び低電位側の電圧（Ｖｍｉｎ２）は、例えば、第１波形信号の高電位側の電圧（Ｖｍａｘ１）及び低電位側の電圧（Ｖｍｉｎ１）とそれぞれ等しい。
【００３２】
定電圧生成回路９４ｃの出力は、スイッチ９４ｇを介して共通電極２３ａ及び蓄積キャパシタ２６のＣｓラインに接続されている。定電圧生成回路９４ｃは、コモンＤＣ駆動に用いる一定電圧Ｖｄｃを生成する。スイッチ９４ｆがオンである場合には、定電圧生成回路９４ｃから出力された一定電圧Ｖｄｃが共通電極２３ａに印加され、スイッチ９４ｆがオフである場合には、定電圧生成回路９４ｃの出力が共通電極２３ａ及び蓄積キャパシタ２６のＣｓラインから遮断される。
【００３３】
切替回路９４ｄには、ＣＰＵ８ａから選択信号が入力される。切替回路９４ｄは、入力された選択信号に従って第１波形信号生成回路９４ａ、第２波形信号生成回路９４ｂ及び定電圧生成回路９４ｃのうち何れかを選択する。具体的には、ＣＰＵ８ａからライン反転駆動を表す選択信号が入力された場合には、切替回路９４ｄは、スイッチ９４ｅをオンにするとともに、スイッチ９４ｆ，９４ｇをオフにする。これにより第１波形信号生成回路９４ａが選択される。ＣＰＵ８ａからフレーム反転駆動を表す選択信号が入力された場合には、切替回路９４ｄは、スイッチ９４ｆをオンにするとともに、スイッチ９４ｅ，９４ｇをオフにする。これにより第２波形信号生成回路９４ｂが選択される。ＣＰＵ８ａからコモンＤＣ駆動を表す選択信号が入力された場合には、切替回路９４ｄは、スイッチ９４ｇをオンにするとともに、スイッチ９４ｅ，９４ｆをオフにする。これにより定電圧生成回路９４ｃが選択される。
【００３４】
階調基準電圧生成回路９５は、ライン反転駆動用、フレーム反転駆動用、コモンＤＣ駆動用の２ｎ段階の階調基準電圧をそれぞれ生成する。そして、階調基準電圧生成回路９５は、入力された選択信号に従って各階調基準電圧を選択して出力する。具体的には、ＣＰＵ８ａからライン反転駆動を表す選択信号が入力された場合には、階調基準電圧生成回路９５が、生成したライン反転駆動用の階調基準電圧をデータドライバ９１に出力する。ＣＰＵ８ａからフレーム反転駆動を表す選択信号が入力された場合には、階調基準電圧生成回路９５が、生成したフレーム反転駆動用の階調基準電圧をデータドライバ９１に出力する。ＣＰＵ８ａからコモンＤＣ駆動を表す選択信号が入力された場合には、階調基準電圧生成回路９５が、コモンＤＣ駆動用の階調基準電圧をデータドライバ９１に出力する。
階調基準電圧生成回路９５は、図８に示したように、第１基準電圧生成回路９５ａ、第２基準電圧生成回路９５ｂ、切替回路９５ｃ及びスイッチ９５ｄ，９５ｅを有する。
【００３５】
第１基準電圧生成回路９５ａの２ｎ段の出力は、それぞれ、スイッチ９５ｄを介してデータドライバ９１に接続されている。第１基準電圧生成回路９５ａは、ライン反転駆動用の２ｎ通りの階調基準電圧Ｖａ（１）〜Ｖａ（２ｎ）及びフレーム反転駆動用の２ｎ通りの階調基準電圧Ｖａ（１）〜Ｖａ（２ｎ）をそれぞれ生成する。階調基準電圧Ｖａ（１）〜Ｖａ（２ｎ）は、極性反転信号Ｐｏｌ１，Ｐｏｌ２によってその電位が切り替わる。具体的には、第１極性反転信号Ｐｏｌ１（または第２極性反転信号Ｐｏｌ２）がハイレベル（Ｖｓｈ）の場合、階調基準電圧Ｖａ（１）〜Ｖａ（２ｎ）は、降順（Ｖａ（１）＞Ｖａ（２）＞Ｖａ（３）・・・＞Ｖａ（２ｎ））であり、階調基準電圧Ｖａ（１）〜Ｖａ（２ｎ）は共通電極２３ａの高電位側電圧よりも小さく（Ｖｍａｘ１，Ｖｍａｘ２＞Ｖａ（１）＞Ｖａ（２）＞Ｖａ（３）・・・＞Ｖａ（２ｎ））なる。このため、画素電極２２ｅの電圧が共通電極２３ａの電圧に対し負電圧になる。第１極性反転信号Ｐｏｌ１（または第２極性反転信号Ｐｏｌ２）がローレベル（Ｖｓｌ）の場合、階調基準電圧Ｖａ（１）〜Ｖａ（２ｎ）は、昇順（Ｖａ（１）＜Ｖａ（２）＜Ｖａ（３）・・・Ｖａ（２ｎ））であり、階調基準電圧Ｖａ（１）〜Ｖａ（２ｎ）は共通電極２３ａの低電位側電圧よりも大きい（Ｖｍｉｎ１，Ｖｍｉｎ２＜Ｖａ（１）＜Ｖａ（２）＜Ｖａ（３）・・・＜Ｖａ（２ｎ））。このため、画素電極２２ｅの電圧が共通電極２３ａの電圧に対し正電圧になる。
また、第１基準電圧生成回路９５ａは、制御回路８から入力された選択信号に従って階調基準電圧の種類を選択して出力する。具体的には、制御回路８からライン反転駆動を表す選択信号が入力された状態且つスイッチ９５ｄがオンである場合には、第１基準電圧生成回路９５ａから出力されたライン反転駆動用の２ｎ通りの階調基準電圧Ｖａ（１）〜Ｖａ（２ｎ）がデータドライバ９１に印加される。一方、制御回路８からフレーム反転駆動を表す選択信号が入力された状態且つスイッチ９５ｄがオンである場合には、第１基準電圧生成回路９５ａから出力されたフレーム反転駆動用の２ｎ通りの階調基準電圧Ｖａ（１）〜Ｖａ（２ｎ）がデータドライバ９１に印加される。また、スイッチ９５ｄがオフである場合には、第１基準電圧生成回路９５ａの出力とデータドライバ９１が遮断される。第２基準電圧生成回路９５ｂの２ｎ段の出力は、それぞれ、スイッチ９５ｅを介してデータドライバ９１に接続されている。
【００３６】
第２基準電圧生成回路９５ｂは、コモンＤＣ駆動用の２ｎ通りの階調基準電圧Ｖｂ（１）〜Ｖｂ（２ｎ）を生成する。第１極性反転信号Ｐｏｌ１がハイレベル（Ｖｓｈ）の場合、階調基準電圧Ｖｂ（１）〜Ｖｂ（２ｎ）は、降順（Ｖｂ（１）＞Vｂ（２）＞Vｂ（３）・・・＞Ｖｂ（２ｎ））であり、階調基準電圧Ｖｂ（１）〜Ｖｂ（２ｎ）は共通電極２３ａの電圧、すなわち、第２基準電圧生成回路９５ｂが印加する一定電圧Ｖｄｃよりも小さい。従って、画素電極２２ｅの電圧が共通電極２３ａの電圧に対し負電圧になる。第１極性反転信号Ｐｏｌ１がローレベル（Ｖｓｌ）の場合、階調基準電圧Ｖｂ（１）〜Ｖｂ（２ｎ）は、昇順（Ｖｂ（１）＜Vｂ（２）＜Vｂ（３）・・・＜Ｖｂ（２ｎ））であり、階調基準電圧Ｖｂ（１）〜Ｖｂ（２ｎ）は一定電圧Ｖｄｃよりも大きい。従って、画素電極２２ｅの電圧が共通電極２３ａの電圧に対し正電圧になる。スイッチ９５ｅがオンである場合には、第２基準電圧生成回路９５ｂから出力された階調基準電圧Ｖｂ（１）〜Ｖｂ（２ｎ）がデータドライバ９１に印加され、スイッチ９５ｅがオフである場合には、第２基準電圧生成回路９５ｂの出力とデータドライバ９１が遮断される。
【００３７】
切替回路９５ｃには、制御回路８から出力された選択信号が入力される。切替回路９５ｃは、入力された選択信号に従って第１基準電圧生成回路９５ａと第２基準電圧生成回路９５ｂのうち何れかを選択する。具体的には、制御回路８からライン反転駆動を表す選択信号またはフレーム反転駆動を表す選択信号が入力された場合には、切替回路９５ｃはスイッチ９５ｄをオンにするとともに、スイッチ９５ｅをオフにする。これにより、第１基準電圧生成回路９５ａが選択される。一方、制御回路８からコモンＤＣ駆動を表す選択信号が入力された場合には、切替回路９５ｃはスイッチ９５ｄをオフにするとともに、スイッチ９５ｅをオンにする。これにより、第２基準電圧生成回路９５ａが選択される。
例えば、ＣＰＵ８ａから切替回路９５ｃに入力される選択信号がライン反転駆動方式を表す選択信号（例えば００）及びフレーム反転駆動方式を表す選択信号（例えば０１）の場合には、切替回路９５ｃがスイッチ９５ｄをオンにするとともに、スイッチ９５ｅをオフにする。一方、ＣＰＵ８ａが切替回路９５ｃに入力される選択信号がコモンＤＣ駆動方式を表す選択信号（例えば１０）の場合には、切替回路９５ｃがスイッチ９５ｄをオフにするとともに、スイッチ９５ｅをオンにする。
【００３８】
データドライバ９１は、１水平同期期間内に入力された階調信号Ｄａｔａをクロック信号ＣＬＫに同期して時分割するとともに、時分割した階調信号Ｄａｔａを各信号線２２ａに対してアドレスする。ここで、１水平同期期間内の階調信号Ｄａｔａは信号線２２ａの数に時分割され、１水平同期期間内の階調信号Ｄａｔａは１行分に相当する。また、データドライバ９１は、次の１水平同期期間において、時分割した階調信号Ｄａｔａをラッチするとともに、そのラッチした階調信号ＤａｔａをＤＡ変換して各信号線２２ａに出力する。具体的には、データドライバ９１は、階調基準電圧生成回路９５によって生成された２ｎ段階の階調基準電圧を参照し、ラッチした階調信号Ｄａｔａに応じた階調基準電圧を各信号線２２ａに出力する。
【００３９】
こうして、液晶ディスプレイパネル２１がライン反転駆動またはフレーム反転駆動されるとき、共通電極２３ａは１水平同期期間毎または１フレーム期間毎に極性反転される。具体的には、ＣＰＵ８ａからライン反転駆動を表す選択信号が入力された場合には、共通電極２３ａの電圧Ｖｃｏｍ（ＡＣ１）の極性が１水平同期期間毎に反転し、共通電極２３ａの電圧Ｖｃｏｍ（ＡＣ１）を基準とした階調基準電圧Ｖａ（１）〜Ｖａ（２ｎ）の極性が反転する。これは、第１極性反転信号Ｐｏｌ１の極性が１水平同期期間毎に反転しているためである。一方、ＣＰＵ８ａからフレーム反転駆動を表す選択信号が入力された場合には、共通電極２３ａの電圧を基準とした信号線２２ａの電圧の極性が、１フレーム期間毎に反転する。具体的には、フレーム反転駆動の場合には、共通電極２３ａの電圧Ｖｃｏｍ（ＡＣ２）の極性が１フレーム期間毎に反転し、共通電極２３ａの電圧Ｖｃｏｍ（ＡＣ２）を基準とした階調基準電圧Ｖａ（１）〜Ｖａ（２ｎ）の極性が反転する。これは、第２極性反転信号Ｐｏｌ２の極性が１フレーム期間毎に反転しているためである。
【００４０】
また、液晶ディスプレイパネル２１がコモンＤＣ駆動されるとき、画素電極２２ｅは１水平同期期間毎に極性反転される。具体的には、共通電極２３ａの電圧Ｖｃｏｍ（ＤＣ）が一定であるが、共通電極２３ａの電圧Ｖｃｏｍ（ＤＣ）を基準とした階調基準電圧ＶＢ（１）〜ＶＢ（２ｎ）の極性が１水平同期期間毎に反転する。つまり、何れの画素においても、共通電極２３ａの電圧Ｖｃｏｍ（ＤＣ）を基準とした画素電極２２ｅの電圧の極性が１水平同期期間毎に反転している。これは、第１極性反転信号Ｐｏｌ１の極性が１水平同期期間毎に反転しているためである。
【００４１】
次に、液晶表示装置２の動作について説明する。図９〜１１は、ＣＰＵ８ａの処理及び液晶表示装置２の動作を示すフローチャートである。
【００４２】
まず、第１パターン（通話の有無によりライン反転駆動とフレーム反転駆動とに切り替えるパターン）におけるＣＰＵ８ａの処理について説明する。
ＣＰＵ８ａが通信回路５の動作状態を監視する。具体的には、ＣＰＵ８ａは、図９に示したように、通話が行われているか否か、すなわち、音声データを含む電波の送受信が通信回路５によって行われているか否かを判定する（ステップＳ１）。
通信回路５によって電波の送受信が行われていない場合には（ステップＳ１：Ｎｏ）、ＣＰＵ８ａが、ライン反転駆動方式を表す選択信号を駆動回路９に出力する（ステップＳ２）。一方、通信回路５によって電波の送受信が行われている場合には（ステップＳ１：Ｙｅｓ）、ＣＰＵ８ａが、フレーム反転駆動方式を表す選択信号を駆動回路９に出力する（ステップＳ３）。このようなＣＰＵ８ａの処理によって、ライン反転駆動方式とフレーム反転駆動方式の切り替えがなされる。
ライン反転駆動方式を表す選択信号が駆動回路９に入力されている場合には、表示信号生成回路９３が、データドライバ９１に階調信号Ｄａｔａ、水平同期信号Ｈ、垂直同期信号Ｖ、クロック信号ＣＬＫ及び第１極性反転信号Ｐｏｌ１を出力する。また、共通電圧生成回路９４が、第１波形信号を共通電極２３ａ及び蓄積キャパシタ２６のＣｓラインに出力する。また、階調基準電圧生成回路９５が、ライン反転駆動用の階調基準電圧Ｖａ（１）〜Ｖａ（２ｎ）をデータドライバ９１に印加する。従って、液晶ディスプレイパネル２１がライン反転駆動方式で駆動される。
一方、フレーム反転駆動方式を表す選択信号が駆動回路９に入力されている場合には、表示信号生成回路９３が、データドライバ９１に階調信号Ｄａｔａ、水平同期信号Ｈ、垂直同期信号Ｖ、クロック信号ＣＬＫ及び第２極性反転信号Ｐｏｌ２を出力する。また、共通電圧生成回路９４が第２波形信号を共通電極２３ａ及び蓄積キャパシタ２６のＣｓラインに出力する。また、階調基準電圧生成回路９５が、フレーム反転駆動用の階調基準電圧Ｖａ（１）〜Ｖａ（２ｎ）をデータドライバ９１に印加する。従って、液晶ディスプレイパネル２１がフレーム反転駆動方式で駆動される。
【００４３】
次に、第２パターン（通話の有無によりフレーム反転駆動とコモンＤＣ駆動とに切り替えるパターン）におけるＣＰＵ８ａの処理について説明する。
ＣＰＵ８ａが通信回路５の監視をする。具体的には、ＣＰＵ８ａは、図１０に示したように、通話が行われているか否か、すなわち、音声データを含む電波の送受信が通信回路５によって行われているか否かを判定する（ステップＳ１１）。
通信回路５によって電波の送受信が行われていない場合には（ステップＳ１１：Ｎｏ）、ＣＰＵ８ａが、フレーム反転駆動方式を表す選択信号を駆動回路９に出力する（ステップＳ１２）。一方、通信回路５によって電波の送受信が行われている場合には（ステップＳ１１：Ｙｅｓ）、ＣＰＵ８ａが、コモンＤＣ駆動方式を表す選択信号を駆動回路９に出力する（ステップＳ１３）。このようなＣＰＵ８ａの処理によって、フレーム反転駆動方式とコモンＤＣ駆動方式の切り替えがなされる。
コモンＤＣ駆動方式を表す選択信号が駆動回路９に入力されている場合には、表示信号生成回路９３が、データドライバ９１に階調信号Ｄａｔａ、水平同期信号Ｈ、垂直同期信号Ｖ、クロック信号ＣＬＫ及び第１極性反転信号Ｐｏｌ１を出力する。また、共通電圧生成回路９４が一定電圧Ｖｄｃを共通電極２３ａ及び蓄積キャパシタ２６のＣｓラインに印加する。また、階調基準電圧生成回路９５が、コモンＤＣ駆動用の階調基準電圧Ｖａ（１）〜Ｖａ（２ｎ）をデータドライバ９１に印加する。従って、液晶ディスプレイパネル２１がコモンＤＣ駆動方式で駆動される。
フレーム反転駆動方式を表す選択信号が駆動回路９に入力されている場合の各部の動作は前述した通りである。
【００４４】
次に、第３パターン（通話の有無によりライン反転駆動とコモンＤＣ駆動とに切り替えるパターン）におけるＣＰＵ８ａの処理について説明する。
ＣＰＵ８ａが通信回路５の監視をする。具体的には、ＣＰＵ８ａは、図１１に示したように、通話が行われているか否か、すなわち、音声データを含む電波の送受信が通信回路５によって行われているか否かを判定する（ステップＳ２１）。
通信回路５によって電波の送受信が行われていない場合には（ステップＳ２１：Ｎｏ）、ＣＰＵ８ａが、ライン反転駆動方式を表す選択信号を駆動回路９に出力する（ステップＳ２）。一方、通信回路５によって電波の送受信が行われている場合には（ステップＳ２１：Ｙｅｓ）、ＣＰＵ８ａが、コモンＤＣ駆動方式を表す選択信号を駆動回路９に出力する（ステップＳ２３）。このようなＣＰＵ８ａの処理によって、ライン反転駆動方式とコモンＤＣ駆動方式の切り替えがなされる。
【００４５】
次に、第４パターン（録音の有無によりライン反転駆動とフレーム反転駆動とに切り替えるパターン）におけるＣＰＵ８ａの処理について説明する。
ＣＰＵ８ａが記憶回路８ｃに対する制御動作状態を監視する。具体的には、ＣＰＵ８ａは、図９に示したように、録音が行われているか否か、すなわち、記憶回路８ｃに音入力回路４から出力された音声データまたは音データを記録する制御動作が行われているか否かを判定する（ステップＳ１）。
記憶回路８ｃに音声データまたは音データを記録する制御動作が行われていない場合には（ステップＳ１：Ｎｏ）、ＣＰＵ８ａが、ライン反転駆動方式を表す選択信号を駆動回路９に出力する（ステップＳ２）。一方、記憶回路８ｃに音声データまたは音データを記録する制御動作が行われている場合には（ステップＳ１：Ｙｅｓ）、ＣＰＵ８ａが、フレーム反転駆動方式を表す選択信号を駆動回路９に出力する（ステップＳ３）。このようなＣＰＵ８ａの処理によって、ライン反転駆動方式とフレーム反転駆動方式の切り替えがなされる。
【００４６】
次に、第５パターン（録音の有無によりライン反転駆動とフレーム反転駆動とに切り替えるパターン）におけるＣＰＵ８ａの処理について説明する。
ＣＰＵ８ａが記憶回路８ｃに対する制御動作状態を監視する。具体的には、ＣＰＵ８ａは、図１０に示したように、録音が行われているか否か、すなわち、記憶回路８ｃに音入力回路４から出力された音声データまたは音データを記録する制御動作が行われているか否かを判定する（ステップＳ１１）。
記憶回路８ｃに音声データまたは音データを記録する制御動作が行われていない場合には（ステップＳ１１：Ｎｏ）、ＣＰＵ８ａが、フレーム反転駆動方式を表す選択信号を駆動回路９に出力する（ステップＳ１２）。一方、記憶回路８ｃに音声データまたは音データを記録する制御動作が行われている場合には（ステップＳ１１：Ｙｅｓ）、ＣＰＵ８ａが、コモンＤＣ駆動方式を表す選択信号を駆動回路９に出力する（ステップＳ１３）。このようなＣＰＵ８ａの処理によって、フレーム反転駆動方式とコモンＤＣ駆動方式の切り替えがなされる。
【００４７】
次に、第６パターン（録音の有無によりライン反転駆動とフレーム反転駆動とに切り替えるパターン）におけるＣＰＵ８ａの処理について説明する。
ＣＰＵ８ａが記憶回路８ｃに対する制御動作状態を監視する。具体的には、ＣＰＵ８ａは、図１１に示したように、録音が行われているか否か、すなわち、記憶回路８ｃに音入力回路４から出力された音声データまたは音データを記録する制御動作が行われているか否かを判定する（ステップＳ２１）。
記憶回路８ｃに音声データまたは音データを記録する制御動作が行われていない場合には（ステップＳ２１：Ｎｏ）、ＣＰＵ８ａが、ライン反転駆動方式を表す選択信号を駆動回路９に出力する（ステップＳ２２）。一方、記憶回路８ｃに音声データまたは音データを記録する制御動作が行われている場合には（ステップＳ２１：Ｙｅｓ）、ＣＰＵ８ａが、コモンＤＣ駆動方式を表す選択信号を駆動回路９に出力する（ステップＳ２３）。このようなＣＰＵ８ａの処理によって、ライン反転駆動方式とコモンＤＣ駆動方式の切り替えがなされる。
【００４８】
この携帯電話機１によれば、通話動作や録音動作を伴わずに動作しているときには、液晶ディスプレイパネル２１をライン反転駆動方式で駆動する。一方、通話動作や録音動作を伴って動作しているときには、液晶ディスプレイパネル２１の駆動方式をライン反転駆動よりも共通電極の振動が少ないフレーム反転駆動方式に切り替える。フレーム反転駆動では、ライン反転駆動に比べて共通電極に印加される電圧極性の反転周期が長くなる。音圧が等しい状態を比較した場合、周波数が低いほど音量が下がるため、フレーム反転駆動する液晶ディスプレイパネル２１から発せられる振動音の音量は、ライン反転駆動時に比べて小さくなり、マイク４１が拾うことができない程度に抑えられる。従って、液晶ディスプレイパネル２１から発せられる振動音が携帯電話機１の使用者に聞こえたり、マイク４１がこの振動音を拾ったりしないようにすることができる。
【００４９】
また、携帯電話機１は、通話動作や録音動作を伴って動作しているときには、液晶ディスプレイパネル２１を、共通電極を振動させないコモンＤＣ駆動方式で駆動する。コモンＤＣ駆動は、共通電極に振動が生じないため、液晶ディスプレイパネル２１が発する振動音の音量はフレーム反転駆動より更に小さ抑えられる。従って、液晶ディスプレイパネル２１から発せられる振動音をより確実に使用者に聞こえないようにしたり、マイク４１がこの振動音を拾わないようにしたりすることができる。
【００５０】
なお、本実施形態では、共通電極の極性を反転させる周期を長くする、または反転を無くすことにより振動音を低減させたが、反転周期を変化させずに信号の振幅を低くするようにしてもよい。このようにしても上記と同様の効果を得ることができる。具体的には、波形信号生成回路と共通電極とを、第１スイッチを介して接続した第１接続経路を設ける。また、波形信号生成回路と共通電極とを、第２スイッチ及び振幅低減手段を介して接続した第２接続経路を設ける。そして、どちらか一方のスイッチをオンにし、他方のスイッチをオフにすることにより、共通電極の電圧の振幅が大きい状態と小さい状態とに切り替え可能とする。このようにすることで、通話動作や録音動作を伴わずに動作しているときには、波形信号生成回路と共通電極とが直接接続する。一方、通話動作や録音動作を伴って動作しているときには、波形信号生成回路と共通電極とが、振幅低減手段を介して接続する。このため、液晶表示装置２から発せられる振動音を低減して、振動音が携帯電話機１の使用者に聞こえないようにしたり、マイク４１がこの振動音を拾わないようにしたり、することができる。
【００５１】
（第２実施形態）
次に、本発明の第２実施形態に係る電子機器である携帯電話機１０１の構成について説明する。図１２は、制御回路１０８の構成を示すブロック図、図１３は、共通電圧生成回路１９４の構成を示すブロック図である。なお、第１実施形態と同一の構成には同一の符号を付し、その説明を省略する。
【００５２】
本実施形態の携帯電話機１０１は、制御回路１０８及び液晶表示装置１０２の構成が第１実施形態と異なっている。具体的には、制御回路１０８のＲＯＭ１０８ｂには、図１２に示したように、データ記録プログラム、通信有無判定プログラム、ライン反転駆動指示プログラム、フレーム反転駆動指示プログラムが記憶され、パターン切替プログラム、録音有無判定プログラム、コモンＤＣ駆動指示プログラムが記憶されていない。このため、制御回路８は、パターン切替機能、録音有無判定機能、コモンＤＣ駆動指示機能を有していない。
【００５３】
また、共通電圧生成回路１９４は、図１３に示したように、第１波形信号生成回路９４ａと第２波形信号生成回路９４ｂで構成され、定電圧生成回路を有していない。そして、切替回路１９４ｄは、第１波形信号生成回路９４ａまたは第２波形信号生成回路９４ｂのいずれか一方を選択するものとなっている。また、階調基準電圧生成回路１９５は、第１基準電圧生成回路９５ａのみで構成され、第２基準電圧生成回路や切替回路を有していない。このため、本実施形態の液晶表示装置１０２は、コモンＤＣ駆動方式による駆動を行わず、ライン反転駆動方式とフレーム反転駆動方式のみで駆動する。
【００５４】
続いて、携帯電話機１０１の動作について説明する。
キー操作モードまたは操作・待機モードにおける携帯電話機１０１の動作は第１実施形態と同様である。
【００５５】
ＣＰＵ１０８ａの処理について説明する。
ＣＰＵ１０８ａが通信回路５の監視をする。具体的には、ＣＰＵ１０８ａは、図１４に示したように、音声データを含む電波の送受信が通信回路５によって行われているか否かを判定する（ステップＳ３１）。
通信回路５によって電波の送受信が行われていない場合には（ステップＳ３１：Ｎｏ）、ＣＰＵ１０８ａが、ライン反転駆動方式を表す選択信号を駆動回路１０９に出力する（ステップＳ３２）。一方、通信回路５によって電波の送受信が行われている場合には（ステップＳ３１：Ｙｅｓ）、ＣＰＵ１０８ａが、フレーム反転駆動方式を表す選択信号を駆動回路１０９に出力する（ステップＳ３３）。このようなＣＰＵ１０８ａの処理によって、ライン反転駆動方式とフレーム反転駆動方式の切り替えがなされる。
ライン反転駆動方式を表す選択信号が駆動回路１０９に入力されている場合には、表示信号生成回路９３が、データドライバ９１に階調信号Ｄａｔａ、水平同期信号Ｈ、垂直同期信号Ｖ、クロック信号ＣＬＫ及び第１極性反転信号Ｐｏｌ１を出力する。また、共通電圧生成回路１９４が第１波形信号を共通電極２３ａ及び蓄積キャパシタ２６のＣｓラインに出力する。また、階調基準電圧生成回路１９５が、ライン反転駆動用の階調基準電圧Ｖａ（１）〜Ｖａ（２ｎ）をデータドライバ９１に印加する。従って、液晶ディスプレイパネル２１がライン反転駆動方式で駆動される。
一方、フレーム反転駆動方式を表す選択信号が駆動回路１０９に入力されている場合には、表示信号生成回路９３が、データドライバ９１に階調信号Ｄａｔａ、水平同期信号Ｈ、垂直同期信号Ｖ、クロック信号ＣＬＫ及び第２極性反転信号Ｐｏｌ２を出力する。また、共通電圧生成回路１９４が第２波形信号を共通電極２３ａ及び蓄積キャパシタ２６のＣｓラインに出力する。また、階調基準電圧生成回路１９５が、フレーム反転駆動用の階調基準電圧Ｖａ（１）〜Ｖａ（２ｎ）をデータドライバ９１に印加する。従って、液晶ディスプレイパネル２１がフレーム反転駆動方式で駆動される。
【００５６】
この携帯電話機１０１によれば、液晶表示装置１０２の駆動方式をライン反転駆動とフレーム反転駆動の二方式に絞っている。このため、第１実施形態の効果に加え、制御回路１０８や駆動回路１０９の構成を簡単にすることができ、携帯電話機１０１を容易に小型化することができる、という効果を奏する。
【００５７】
なお、本実施形態では、電波の送受信が行われていないときはライン反転駆動を、電波の送受信が行われているときはフレーム反転駆動をそれぞれ行っているが、電波の送受信が行われていないときにドット反転駆動、電波の送受信が行われているときにコモンＤＣ駆動させてもよい。
【符号の説明】
【００５８】
１，１０１    携帯電話機（電子機器）
２，１０２    液晶表示装置
２１   液晶ディスプレイパネル
２２ａ 信号線
２２ｂ 走査線
２２ｅ 画素電極
２３ａ 共通電極
３     撮像回路
４     音声入力回路
５     通信回路
８，１０８    制御回路
８ａ   ＣＰＵ（記録回路、判定回路）
８ｃ   記憶回路
９，１０９    駆動回路
９１   データドライバ
９２   走査ドライバ
９３   表示信号生成回路
９４，１９４  共通電圧生成回路
９４ａ 第１波形信号生成回路
９４ｂ 第２波形信号生成回路
９４ｃ 定電圧生成回路
９４ｄ，１９４ｄ     切替回路
９４ｅ，９４ｆ，９４ｇ      スイッチ
９５，１９５  階調基準電圧生成回路
９５ａ 第１基準電圧生成回路
９５ｂ 第２基準電圧生成回路
９５ｃ 切替回路
９５ｄ，９５ｅ       スイッチ
【図１】
2011112656.tif 000003
【図２】
2011112656.tif 000004
【図３】
2011112656.tif 000005
【図４】
2011112656.tif 000006
【図５】
2011112656.tif 000007
【図６】
2011112656.tif 000008
【図７】
2011112656.tif 000009
【図８】
2011112656.tif 000010
【図９】
2011112656.tif 000011
【図１０】
2011112656.tif 000012
【図１１】
2011112656.tif 000013
【図１２】
2011112656.tif 000014
【図１３】
2011112656.tif 000015
【図１４】
2011112656.tif 000016